(57)【要約】【課題】  豪雨中や長時間の作業であっても着心地が悪化することがなく、着衣状態での作業性及び衛生面においても優れ、しかも、製造コストも低廉な作業用繋ぎ服、及び作業用衣服を提供すること。【解決手段】  フード付き上着１とズボン２とが一体化した形状で、かつ、撥水剤により表面加工された布帛を使用して作製された作業用繋ぎ服であって、前記上着１のフード部11、及び両袖部12・12と、前記ズボン２の臀部21、及び上腿前部22・22に遮水加工Ｌを施した。【選択図】  図１
0003130838.tif 000002
【実用新案登録請求の範囲】
【請求項１】
フード付き上着１とズボン２とが一体化した形状で、かつ、撥水剤により表面加工された布帛を使用して作製された作業用繋ぎ服Ｃであって、前記上着１のフード部11、及び両袖部12・12と、前記ズボン２の臀部21、及び上腿前部22・22には遮水加工Ｌが施されていることを特徴とする作業用繋ぎ服。
【請求項２】
上着１とズボン２とが一体化した形状で、かつ、撥水剤により表面加工された布帛を使用して作製された作業用繋ぎ服Ｃであって、前記上着１の襟ぐり部14、両肩部15、及び両袖部12・12の少なくとも上面部分と、前記ズボン２の臀部21、及び上腿前部22・22には合成樹脂により遮水加工Ｌが施されていることを特徴とする作業用繋ぎ服。
【請求項３】
フード付き上着１とズボン２とから構成され、かつ、撥水剤により表面加工された布帛を使用して作製された作業用衣服であって、前記上着１のフード部11、及び両袖部12・12の少なくとも上面部分と、前記ズボン２の臀部21、及び上腿前部22・22には合成樹脂により遮水加工Ｌが施されていることを特徴とする作業用衣服。
【請求項４】
上着１とズボン２とから構成され、かつ、撥水剤によって表面加工された布帛を使用して作製された作業用衣服であって、前記上着１の襟ぐり部14、両肩部15・15、及び両袖部12・12の少なくとも上面部分と、前記ズボン２の臀部21、及び上腿前部22・22には合成樹脂により遮水加工Ｌが施されていることを特徴とする作業用衣服。
【請求項５】
上着１及びズボン２の材料となる布帛の撥水加工に、イソパラフィン系炭化水素と疎水性シリカとを含んで成る撥水剤が使用されていることを特徴とする請求項１〜４の何れか一つに記載の作業用繋ぎ服、及び作業用衣服。
【請求項６】
上着１及びズボン２の材料となる布帛の撥水加工に、イソプロピルアルコールと疎水性シリカを含んで成る撥水剤が使用されていることを特徴とする請求項１〜４の何れか一つに記載の作業用繋ぎ服、及び作業用衣服。
【請求項７】
上着１の両袖部12・12における上面部分のみに合成樹脂により遮水加工Ｌが施されていることを特徴とする請求項１〜６の何れか一つに記載の作業用繋ぎ服、及び作業用衣服。
【請求項８】
上着１の後身頃上部13にも合成樹脂により遮水加工Ｌが形成されていることを特徴とする請求項１〜７の何れか一つに記載の作業用繋ぎ服、及び作業用衣服。
【請求項９】
上着１及びズボン２の生地に使用する布帛に不織布が用いられていることを特徴とする請求項１〜８の何れか一つに記載の作業用繋ぎ服、及び作業用衣服。
【考案の詳細な説明】
【技術分野】
【０００１】
本考案は、作業用繋ぎ服、及び作業用衣服の改良、詳しくは、豪雨中や長時間の作業時であっても快適性を損なわず、着衣状態での作業性及び衛生面においても優れ、しかも、製造コストも低廉な作業用繋ぎ服、及び作業用衣服に関するものである。
【背景技術】
【０００２】
周知のとおり、雨天時に屋外で作業する際には雨で身体が濡れないように防水性を備えた作業服を着用するのが一般的である。
【０００３】
そして、このような防水性作業服としては、＜特許文献１＞にあるような防水性フィルムを生地材料にラミネート加工することにより耐水性を付与したものが公知となっている（例えば、特許文献１参照）。
【０００４】
ところが、上記従来の作業服は防水効果には優れるものの、通気性が充分でなかったため汗が外に発散せずに肌着を濡らしてしまい、それが非常に不快であって風邪などの原因にもなり健康衛生上の問題があった。
【０００５】
また、着衣時の作業性に関しても、生地が樹脂コーティングされていたことから衣服全体が固くなってごわついてしまい、加えて、重量も大きくなって身動きが非常に取りづらかったため作業の効率性の点で不満があった。
【０００６】
一方、従来においては、＜特許文献２＞にあるように、耐水性及び通気性を兼ね備えた特殊生地によって作製された作業服も公知となっている。
【０００７】
しかしながら、上記従来の特殊生地を使用した作業服は、ある程度の耐水性及び通気性を有してはいたものの、その性能は何れも満足のいくものではなく、特に耐水性に関しては、豪雨中での作業や雨中での長時間の作業、又は着座して臀部に高水圧が加わった際等に衣服内部に雨水が滲み込んで、着用者は作業時に大変不快であった。
【０００８】
加えて、耐水性と通気性とを兼ね備えた特殊生地は非常に高価であるため、それを使用して作製すると材料費の負担が大きくなってしまい製造コストを低減することができなかった。
【特許文献１】特公平６−２７２１６号公報（第２−４頁、第１図）
【特許文献２】特開２００６−３４８３９７号公報（第２−１０頁、第１〜６図）
【考案の開示】
【考案が解決しようとする課題】
【０００９】
本考案は、この上記の問題に鑑みてなされたものであって、その目的とするところは、豪雨中や長時間の作業であっても着心地が悪化することがなく、着衣状態での作業性及び衛生面においても優れ、しかも、製造コストも低廉な作業用繋ぎ服、及び作業用衣服を提供することにある。
【課題を解決するための手段】
【００１０】
本考案者が、上記課題を解決するために採用した手段を添付図面を参照して説明すれば次のとおりである。
【００１１】
即ち、本考案は、フード付き上着１とズボン２とが一体化した形状で、かつ、撥水剤により表面加工された布帛を使用して作製された作業用繋ぎ服であって、前記上着１のフード部11、及び両袖部12・12と、前記ズボン２の臀部21、及び上腿前部22・22に遮水加工Ｌを施した点に特徴がある。
【００１２】
また、本考案においては、上記課題を解決するために、必要に応じて上記手段に加え、上着１とズボン２とが一体化した形状で、かつ、撥水剤により表面加工された布帛を使用して作製された作業用繋ぎ服であって、前記上着１の襟ぐり部14、両肩部15・15、及び両袖部12・12の少なくとも上面部分と、前記ズボン２の臀部21、及び上腿前部22・22に合成樹脂により遮水加工Ｌを施すという技術的手段を採用することができる。
【００１３】
また、本考案においては、上記課題を解決するために、必要に応じて上記手段に加え、フード付き上着１とズボン２とから構成され、かつ、撥水剤により表面加工された布帛を使用して作製された作業用衣服であって、前記上着１のフード部11、及び両袖部12・12の少なくとも上面部分と、前記ズボン２の臀部21、及び上腿前部22・22に合成樹脂により遮水加工Ｌを施すという技術的手段を採用することができる。
【００１４】
また、本考案においては、上記課題を解決するために、必要に応じて上記手段に加え、上着１とズボン２とから構成され、撥水剤により表面加工された布帛を使用して作製された作業用衣服であって、前記上着１の襟ぐり部14、両肩部15・15、及び両袖部12・12の少なくとも上面部分と、前記ズボン２の臀部21、及び上腿前部22・22に合成樹脂により遮水加工Ｌを施すという技術的手段を採用することができる。
【００１５】
また、本考案においては、上記課題を解決するために、必要に応じて上記手段に加え、上着１及びズボン２の材料となる布帛の撥水加工に、イソパラフィン系炭化水素と疎水性シリカとを含んで成る撥水剤を使用するという技術的手段を採用することができる。
【００１６】
また、本考案においては、上記課題を解決するために、必要に応じて上記手段に加え、上着１及びズボン２の材料となる布帛の撥水加工に、イソプロピルアルコールと疎水性シリカを含んで成る撥水剤を使用するという技術的手段を採用することができる。
【００１７】
また、本考案においては、上記課題を解決するために、必要に応じて上記手段に加え、上着１の両袖部12・12における上面部分のみに合成樹脂により遮水加工Ｌを施すという技術的手段を採用することができる。
【００１８】
また、本考案においては、上記課題を解決するために、必要に応じて上記手段に加え、更に、上着１の後身頃上部13に遮水加工Ｌを施すという技術的手段を採用することができる。
【００１９】
また、本考案においては、上記課題を解決するために、必要に応じて上記手段に加え、上着１及びズボン２の生地に使用する布帛に不織布を採用するという技術的手段を採用することができる。
【考案の効果】
【００２０】
本考案においては、撥水加工した布帛を使用して作製し、降雨が直接当たる上着のフード部、両袖部と、ズボンの臀部、上腿前部とに遮水加工による防水効果を付与したことにより、耐水性が必要となる豪雨中での作業や雨中での長時間の作業、そして着座状態での作業であっても衣服内部に漏水が発生することがなく、快適性を保持することができるため作業用繋ぎ服としての機能は非常に高い。
【００２１】
また、生地となる布帛を撥水剤によって撥水処理したことにより、防水加工されていない部分が濡れたとしてもすぐに露玉状の水滴となって滴り落ちるため、衣服内部に雨水が浸透して濡れないにも拘らず、生地の通気性も頗る高いことから衣服内が発汗によってムレることもない。
【００２２】
しかも、本考案の衣服の生地に用いる布帛として軽量で柔軟性に富んだ不織布を使用すれば、着衣時の身動きも軽く、作業性は非常に良好である。
【００２３】
さらに、不織布には非常に低廉な材料が豊富で、撥水剤による加工も非常に簡単であることから、製造コストの低廉化を図ることも容易である。
【００２４】
したがって、本考案により、優れた防水性及び通気性を兼ね備えるだけでなく、作業性及び健康衛生面でも優れた作業用繋ぎ服を安価に提供できることから、本考案の実用的利用価値は非常に高いと云える。
【考案を実施するための最良の形態】
【００２５】
『実施例１』
本考案の実施例１を具体的に図示した図１から図３に基いて更に詳細に説明すると次のとおりである。まず、図中において符号１で指示するものは、上着であり、符号２で指示するものは、ズボンである。
【００２６】
次に、本実施例の構成を以下から説明する。まず、本実施例においては、不織布から成る生地と、当該生地表面にポリエチレンフィルムをラミネート加工することによって遮水加工Ｌを施した防水性生地とを準備した。
【００２７】
そして、上着１のフード部11、両袖部12・12の上面部分、及び後身頃上部13と、前記ズボン２の臀部21、及び上腿前部22・22とに防水性生地を使用して、フード付き上着１とズボン２とが一体化した形状の作業用繋ぎ服Ｃを縫製した（図１、図２参照）。
【００２８】
そして更に、縫製した作業用繋ぎ服Ｃの上着１及びズボン２の生地表面に、イソパラフィン系炭化水素と疎水性シリカとを含んで成る撥水剤による撥水加工を行った。
【００２９】
上記のように構成したことによって、図３(a)に示すように立位状態で降雨が直接当たる上着１のフード部11と両袖部12の上面部分、及び図３(b)に示すように座位状態において降雨が当たる上着１の後身頃上部13とズボン２の上腿前部22・22、そして、腰掛けに圧迫されるズボン２の臀部21に防水効果を付与したため、耐水性が必要となる豪雨中や雨中での長時間の作業、又は着座状態での作業であっても衣服内部に漏水が発生することがなく、快適に作業を行うことができる。
【００３０】
さらに、布帛の撥水加工には、高撥水性を実現するイソパラフィン系炭化水素と疎水性シリカとを含む撥水剤を使用したことにより、撥水性生地が濡れてもすぐに露玉状の水滴となって滴り落ちるため、衣服内部に浸透して濡れることがなく、また、撥水性生地は通気性が非常に高いことから衣服内が発汗でムレることなく非常に衛生的である。
【００３１】
また、本実施例では、縫製後の繋ぎ服Ｃに対して撥水加工を行うことにより生地の縫目部分にも撥水効果を付与したため、縫目から雨水が浸透して濡れることもない。
【００３２】
そしてまた、衣服の生地に用いる布帛に軽量で柔軟性に富んだ不織布を使用したため、着衣時の身動きも軽く、作業性は非常に良好である。
【００３３】
なお、本実施例では、上着１の両袖部12・12の上側部分だけに合成樹脂Ｌをラミネートして形成した防水性生地を使用しているため、両袖部12・12の柔軟性も高く、両腕をスムーズに動かすことができ、更に発汗し易い脇部周辺において通気性を確保することもできるため、作業性及び衛生面の向上を図ることができる。
【００３４】
さらに、不織布には非常に低廉な材料が豊富で、撥水剤による加工も非常に簡単であることから、製造コストの低廉化を図ることも容易である。
【００３５】
なお、本実施例では、布帛に極めて安価でリサイクルも容易なポリプロピレン製不織布を使用しているため、使い捨て用途に適している。
【００３６】
『実施例２』
次に、本考案の実施例２を図４に基いて詳細に説明する。本実施例では、フードなしの形態を採用した作業用繋ぎ服Ｃを作製すると共に、当該繋ぎ服Ｃの上着１の襟ぐり部14、両肩部15・15、及び両袖部12・12の上面部分と、ズボン２の臀部21、及び上腿前部22・22には、エラストマー樹脂を塗布することにより表面コーティングを行って合成樹脂膜の遮水加工Ｌを施した（図４参照）。
【００３７】
また、生地の撥水加工には、撥水効果が高いイソプロピルアルコールと疎水性シリカを含んで成る撥水剤を使用した。
【００３８】
そしてまた、本実施例においては、撥水性生地と防水性生地とを縫製せずに、ヒートシール材を用いて生地同士を接着することにより、生地の境界部分の防水性を向上した。
【００３９】
なお、この際、ヒートシール材に代えて超音波シール材や高周波シール材を使用することもできる。
【００４０】
『実施例３』
次に、本考案の実施例３について詳細に説明する。本実施例では、フード付き上着１とズボン２とを別体として作製することにより、繋ぎ服でない作業用衣服を作製した。もちろん、作業用衣服の上着１にはフードなしの形態を採用してもよい。
【００４１】
また、本考案は、概ね上記のように構成されるが、図示の実施形態に限定されるものではなく、「実用新案登録請求の範囲」の記載内において種々の変更が可能であって、例えば、上着１及びズボン２の遮水加工Ｌに使用する材料としては、ポリエチレンやエラストマー樹脂だけでなく、他のポリオレフィン系樹脂やウレタン樹脂、ゴム材料等から適宜選択して使用すればよく、また、遮水加工Ｌに関しては布帛の表面だけでなく裏面や中間層に行ってもよい。
【００４２】
そしてまた、上着１及びズボン２の生地に用いる布帛には、不織布だけでなく織物や編物を採用してもよい。
【００４３】
さらに、使用する布帛材料としては、リサイクル性に優れたポリオレフィン系樹脂だけでなく環境に優しい天然繊維や生分解性繊維等を採用してもよく、何れも本考案の技術的範囲に属する。
【産業上の利用可能性】
【００４４】
近年では、国内外において原子力発電所やゴミ処理施設を始めとする大規模なプラント施設が増加しており、それらのプラント施設では、雨天時であっても屋外で作業しなければならないことが多く、機能性に優れた防水作業着が切に求められている。
【００４５】
また、プラント施設において作業服をそのまま繰り返して使用する行為は、衛生上または安全上の問題となり得ることから、着用する作業服は使い捨てできることが好ましい。
【００４６】
そのような中で、本考案の作業用繋ぎ服、及び作業用衣服は、防水性及び通気性の機能を向上できるだけでなく、使い捨て可能な低価格で生産できる極めて有用な技術であることから、市場における需要は大きく、本考案の産業上の利用価値は非常に高いと云える。
【図面の簡単な説明】
【００４７】
【図１】本考案の実施例１における作業用繋ぎ服を表わす全体前面図である。
【図２】本考案の実施例１における作業用繋ぎ服を表わす全体側面図である。
【図３】本考案の実施例１における作業用繋ぎ服を表わす説明上面図である。
【図４】本考案の実施例２における作業用繋ぎ服を表わす全体前面図である。
【符号の説明】
【００４８】
１  上着
11  フード部
12  袖部
13  後身頃上部
14  襟ぐり部
15  肩部
２  ズボン
21  臀部
22  上腿前部
Ｃ  作業用繋ぎ服
Ｌ  遮水加工部
【図１】
0003130838.tif 000003
【図２】
0003130838.tif 000004
【図３】
0003130838.tif 000005
【図４】
0003130838.tif 000006